(57)【要約】【課題】複数のユーザの端末装置から取得した画像の枚数に応じて、適切な画像商材を提案することができる画像処理装置、画像処理方法、プログラムおよび記録媒体を提供する。【解決手段】本発明の画像処理装置、画像処理方法、プログラムおよび記録媒体では、商材取得部が、第１ユーザによって設定された第１の画像商材を取得し、枚数範囲取得部が、第１の画像商材において使用する画像の使用枚数範囲を取得する。アップロード催促部が、画像のアップロードを催促する催促情報を送付してから、画像取得部が、複数のユーザの端末装置から画像を取得し、一定期間が経過した後、画像数算出部が、画像の枚数を算出する。画像の枚数が使用枚数範囲外である場合に、商材提案部が、画像の枚数に応じて、第１の画像商材とは異なる選択肢を提案する。【選択図】図６
2017138803.tif 000002
【特許請求の範囲】
【請求項１】
１以上の画像商材の中から、複数のユーザのうちの少なくとも一人の第１ユーザによって設定された第１の画像商材を、ネットワークを介して、前記第１ユーザの端末装置から取得する商材取得部と、
前記第１の画像商材において使用する画像の使用枚数範囲を取得する枚数範囲取得部と、
前記画像のアップロードを催促する第１の催促情報を、前記ネットワークを介して、前記複数のユーザの端末装置に対して送付するアップロード催促部と、
前記第１の催促情報が送付されてから第１の一定期間、前記複数のユーザの端末装置からアップロードされた第１の画像群を、前記ネットワークを介して取得する画像取得部と、
前記第１の一定期間が経過した後、前記第１の画像群の枚数を算出する画像数算出部と、
前記第１の画像群の枚数が前記使用枚数範囲外である場合に、前記第１の画像群の枚数に応じて、前記第１の画像商材とは異なる選択肢を提案する提案情報を、前記ネットワークを介して、前記第１ユーザの端末装置に対して送付する商材提案部とを備える画像処理装置。
【請求項２】
前記商材提案部は、前記第１の画像群の枚数が前記使用枚数範囲の上限枚数を超えており、かつ、前記第１の画像商材よりも多い画像を使用する画像商材が前記１以上の画像商材の中に含まれている場合に、前記異なる選択肢として前記第１の画像商材よりも多い画像を使用する画像商材を提案する提案情報を送付する請求項１に記載の画像処理装置。
【請求項３】
前記商材提案部は、前記第１の画像群の枚数が前記使用枚数範囲の上限枚数を超えており、かつ、前記第１の画像商材よりもページ数が多い画像商材が前記１以上の画像商材の中に含まれている場合に、前記異なる選択肢として前記第１の画像商材よりもページ数が多い画像商材を提案する提案情報を送付する請求項１または２に記載の画像処理装置。
【請求項４】
前記商材提案部は、前記第１の画像群の枚数が前記使用枚数範囲の下限枚数未満であり、かつ、前記第１の画像商材よりも少ない画像を使用する画像商材が前記１以上の画像商材の中に含まれている場合に、前記異なる選択肢として前記第１の画像商材よりも少ない画像を使用する画像商材を提案する提案情報を送付する請求項１〜３のいずれか一項に記載の画像処理装置。
【請求項５】
前記商材提案部は、前記第１の画像群の枚数が前記使用枚数範囲の下限枚数未満であり、かつ、前記第１の画像商材よりもページ数が少ない画像商材が前記１以上の画像商材の中に含まれている場合に、前記異なる選択肢として前記第１の画像商材よりもページ数が少ない画像商材を提案する提案情報を送付する請求項１〜４のいずれか一項に記載の画像処理装置。
【請求項６】
前記商材提案部は、前記第１の画像群の枚数が前記使用枚数範囲の下限枚数未満である場合に、前記異なる選択肢として前記第１の画像商材の使用を断念することを提案する提案情報を送付する請求項１〜３のいずれか一項に記載の画像処理装置。
【請求項７】
さらに、前記第１の画像群の枚数が前記使用枚数範囲の下限枚数未満である場合に、前記第１の画像群をトリミングして加工画像を作成するトリミング部を備え、
前記画像数算出部は、前記第１の一定期間が経過した後、前記第１の画像群の枚数および前記加工画像の枚数を加算して第１の合計枚数を算出し、
前記商材提案部は、前記第１の合計枚数が前記下限枚数未満であり、かつ、前記第１の画像商材よりも少ない画像を使用する画像商材が前記１以上の画像商材の中に含まれている場合に、前記異なる選択肢として前記第１の画像商材よりも少ない画像を使用する画像商材を提案する提案情報を送付する請求項１〜３のいずれか一項に記載の画像処理装置。
【請求項８】
さらに、前記第１の画像群の枚数が前記使用枚数範囲の下限枚数未満である場合に、前記第１の画像群をトリミングして加工画像を作成するトリミング部を備え、
前記画像数算出部は、前記第１の一定期間が経過した後、前記第１の画像群の枚数および前記加工画像の枚数を加算して第１の合計枚数を算出し、
前記商材提案部は、前記第１の合計枚数が前記下限枚数未満であり、かつ、前記第１の画像商材よりもページ数が少ない画像商材が前記１以上の画像商材の中に含まれている場合に、前記異なる選択肢として前記第１の画像商材よりもページ数が少ない画像商材を提案する提案情報を送付する請求項１〜３および７のいずれか一項に記載の画像処理装置。
【請求項９】
さらに、前記第１の画像群の枚数が前記使用枚数範囲の下限枚数未満である場合に、前記第１の画像群をトリミングして加工画像を作成するトリミング部を備え、
前記画像数算出部は、前記第１の一定期間が経過した後、前記第１の画像群の枚数および前記加工画像の枚数を加算して第１の合計枚数を算出し、
前記商材提案部は、前記第１の合計枚数が前記下限枚数未満である場合に、前記異なる選択肢として前記第１の画像商材の使用を断念することを提案する提案情報を送付する請求項１〜３のいずれか一項に記載の画像処理装置。
【請求項１０】
前記アップロード催促部は、前記第１の画像群の枚数が前記下限枚数未満である場合に、前記画像のアップロードを催促する第２の催促情報を、前記複数のユーザの端末装置に対して送付する請求項１〜３、７および８のいずれか一項に記載の画像処理装置。
【請求項１１】
前記画像取得部は、前記第２の催促情報が送付されてから第２の一定期間、前記複数のユーザの端末装置からアップロードされた第２の画像群を取得し、
前記画像数算出部は、前記第２の一定期間が経過した後、前記第１の画像群の枚数および前記第２の画像群の枚数を加算して第２の合計枚数を算出し、
前記商材提案部は、前記第２の合計枚数が前記下限枚数未満であり、かつ、前記第１の画像商材よりも少ない画像を使用する画像商材が前記１以上の画像商材の中に含まれている場合に、前記異なる選択肢として前記第１の画像商材よりも少ない画像を使用する画像商材を提案する提案情報を送付する請求項１０に記載の画像処理装置。
【請求項１２】
前記画像取得部は、前記第２の催促情報が送付されてから第２の一定期間、前記複数のユーザの端末装置からアップロードされた第２の画像群を取得し、
前記画像数算出部は、前記第２の一定期間が経過した後、前記第１の画像群の枚数および前記第２の画像群の枚数を加算して第２の合計枚数を算出し、
前記商材提案部は、前記第２の合計枚数が前記下限枚数未満であり、かつ、前記第１の画像商材よりもページ数が少ない画像商材が前記１以上の画像商材の中に含まれている場合に、前記異なる選択肢として前記第１の画像商材よりもページ数が少ない画像商材を提案する提案情報を送付する請求項１０または１１に記載の画像処理装置。
【請求項１３】
前記画像取得部は、前記第２の催促情報が送付されてから第２の一定期間、前記複数のユーザの端末装置からアップロードされた第２の画像群を取得し、
前記画像数算出部は、前記第２の一定期間が経過した後、前記第１の画像群の枚数および前記第２の画像群の枚数を加算して第２の合計枚数を算出し、
前記商材提案部は、前記第２の合計枚数が前記下限枚数未満である場合に、前記異なる選択肢として前記第１の画像商材の使用を断念することを提案する提案情報を送付する請求項１０に記載の画像処理装置。
【請求項１４】
前記アップロード催促部は、前記第１の催促情報を、前記第１ユーザの端末装置に対して送付し、前記第１の催促情報を前記第１のユーザ以外のユーザの端末装置に対して送付する送付指示を、前記第１ユーザの端末装置から取得し、前記送付指示に応じて、前記第１の催促情報を、前記第１ユーザ以外のユーザの端末装置に対して送付する請求項１〜１３のいずれか一項に記載の画像処理装置。
【請求項１５】
前記アップロード催促部は、電子メールまたはメッセージを送受信するアプリケーションを用いて、前記第１の催促情報を、前記複数のユーザの端末装置に対して送付する請求項１〜１４のいずれか一項に記載の画像処理装置。
【請求項１６】
前記枚数範囲取得部は、前記第１の画像商材のサイズおよびページ数のうちの少なくとも一方に応じて前記使用枚数範囲を取得する請求項１〜１５のいずれか一項に記載の画像処理装置。
【請求項１７】
前記１以上の画像商材は、各々サイズおよびページ数のうちの少なくとも一方が異なる複数種類の画像商材を含む請求項１〜１６のいずれか一項に記載の画像処理装置。
【請求項１８】
商材取得部が、１以上の画像商材の中から、複数のユーザのうちの少なくとも一人の第１ユーザによって設定された第１の画像商材を、ネットワークを介して、前記第１ユーザの端末装置から取得するステップと、
枚数範囲取得部が、前記第１の画像商材において使用する画像の使用枚数範囲を取得するステップと、
アップロード催促部が、前記画像のアップロードを催促する第１の催促情報を、前記ネットワークを介して、前記複数のユーザの端末装置に対して送付するステップと、
画像取得部が、前記第１の催促情報が送付されてから第１の一定期間、前記複数のユーザの端末装置からアップロードされた第１の画像群を、前記ネットワークを介して取得するステップと、
画像数算出部が、前記第１の一定期間が経過した後、前記第１の画像群の枚数を算出するステップと、
商材提案部が、前記第１の画像群の枚数が前記使用枚数範囲外である場合に、前記第１の画像群の枚数に応じて、前記第１の画像商材とは異なる選択肢を提案する提案情報を、前記ネットワークを介して、前記第１ユーザの端末装置に対して送付するステップとを含む画像処理方法。
【請求項１９】
請求項１８に記載の画像処理方法の各々のステップをコンピュータに実行させるためのプログラム。
【請求項２０】
請求項１８に記載の画像処理方法の各々のステップをコンピュータに実行させるためのプログラムが記録されたコンピュータ読み取り可能な記録媒体。
【発明の詳細な説明】
【技術分野】
【０００１】
本発明は、複数のユーザの端末装置からネットワークを介して取得された複数の画像を用いて、フォトブック等の合成画像を作成する画像処理装置、画像処理方法、プログラムおよび記録媒体に関するものである。
【背景技術】
【０００２】
フォトブックは、ユーザが所有する複数の画像（画像データ）を、インターネットを経由してサービス提供業者に送信し、送信した複数の画像を用いてユーザが希望するレイアウトの写真集を作成するサービスである。
【０００３】
フォトブックは、例えば、画像の連続性や関連性を考慮して、撮影時刻等に基づいて複数の画像を複数のグループに分類し、各々のグループに含まれる画像を各々対応するページに自動配置（自動レイアウト）することによって作成される。
【０００４】
近年では、一人のユーザが所有する複数の画像だけを用いてフォトブックを作成するだけでなく、複数のユーザが所有する複数の画像を用いて１つのフォトブックを作成するもの（特許文献１および２参照）、および、複数のユーザから寄せ書き用のメッセージを取得し、複数のユーザから取得した寄せ書きメッセージを用いて寄せ書きを作成するもの（特許文献３および４参照）等が知られている。
【先行技術文献】
【特許文献】
【０００５】
【特許文献１】特開２００８−２５７３０８号公報
【特許文献２】特開２０１５−０６９４３１号公報
【特許文献３】特開２００１−２９７０５１号公報
【特許文献４】特開２０１５−１３３０００号公報
【発明の概要】
【発明が解決しようとする課題】
【０００６】
一人のユーザが合成画像を作成する場合は、ユーザは通常どのような画像を対象として画像商材を作成したいか知っている。ユーザは対象の画像の枚数に基づいて、所望する画像商材の種類を選択することができる。一方、複数のユーザの端末装置から複数の画像を取得して合成画像を作成する場合、画像の枚数を事前に知ることができない。したがって、複数のユーザの画像を取得して合成画像を作成する作成者は、将来取得する画像の枚数を予想し、予想した画像の枚数に基づいて画像商材を選択することになる。
【０００７】
実際に取得した画像の枚数が事前の予想より多い場合には、選択した画像商材の画像の配置領域の数に対して、活用したい画像の枚数が超過することとなり、取得した画像を有効に活用することができない。また、実際に取得した画像の枚数が事前の予想より少ない場合には、合成画像における画像の配置領域に空き領域が生じて見栄えが悪くなることがあるし、合成画像を作成することができないこともある。
【０００８】
このように、複数のユーザの端末装置から複数の画像を取得して合成画像を作成する場合、画像の枚数を事前に知ることができないため、画像の枚数に応じた適切な画像商材を用いて合成画像を作成することが難しいという問題点が判明した。
【０００９】
本発明の目的は、複数のユーザの端末装置から取得した画像の枚数に応じて、適切な画像商材を提案することができる画像処理装置、画像処理方法、プログラムおよび記録媒体を提供することにある。
【課題を解決するための手段】
【００１０】
上記目的を達成するために、本発明は、１以上の画像商材の中から、複数のユーザのうちの少なくとも一人の第１ユーザによって設定された第１の画像商材を、ネットワークを介して、第１ユーザの端末装置から取得する商材取得部と、
第１の画像商材において使用する画像の使用枚数範囲を取得する枚数範囲取得部と、
画像のアップロードを催促する第１の催促情報を、ネットワークを介して、複数のユーザの端末装置に対して送付するアップロード催促部と、
第１の催促情報が送付されてから第１の一定期間、複数のユーザの端末装置からアップロードされた第１の画像群を、ネットワークを介して取得する画像取得部と、
第１の一定期間が経過した後、第１の画像群の枚数を算出する画像数算出部と、
第１の画像群の枚数が使用枚数範囲外である場合に、第１の画像群の枚数に応じて、第１の画像商材とは異なる選択肢を提案する提案情報を、ネットワークを介して、第１ユーザの端末装置に対して送付する商材提案部とを備える画像処理装置を提供するものである。
【００１１】
ここで、商材提案部は、第１の画像群の枚数が使用枚数範囲の上限枚数を超えており、かつ、第１の画像商材よりも多い画像を使用する画像商材が１以上の画像商材の中に含まれている場合に、異なる選択肢として第１の画像商材よりも多い画像を使用する画像商材を提案する提案情報を送付することが好ましい。
【００１２】
また、商材提案部は、第１の画像群の枚数が使用枚数範囲の上限枚数を超えており、かつ、第１の画像商材よりもページ数が多い画像商材が１以上の画像商材の中に含まれている場合に、異なる選択肢として第１の画像商材よりもページ数が多い画像商材を提案する提案情報を送付することが好ましい。
【００１３】
また、商材提案部は、第１の画像群の枚数が使用枚数範囲の下限枚数未満であり、かつ、第１の画像商材よりも少ない画像を使用する画像商材が１以上の画像商材の中に含まれている場合に、異なる選択肢として第１の画像商材よりも少ない画像を使用する画像商材を提案する提案情報を送付することが好ましい。
【００１４】
また、商材提案部は、第１の画像群の枚数が使用枚数範囲の下限枚数未満であり、かつ、第１の画像商材よりもページ数が少ない画像商材が１以上の画像商材の中に含まれている場合に、異なる選択肢として第１の画像商材よりもページ数が少ない画像商材を提案する提案情報を送付することが好ましい。
【００１５】
また、商材提案部は、第１の画像群の枚数が使用枚数範囲の下限枚数未満である場合に、異なる選択肢として第１の画像商材の使用を断念することを提案する提案情報を送付することが好ましい。
【００１６】
さらに、第１の画像群の枚数が使用枚数範囲の下限枚数未満である場合に、第１の画像群をトリミングして加工画像を作成するトリミング部を備え、
画像数算出部は、第１の一定期間が経過した後、第１の画像群の枚数および加工画像の枚数を加算して第１の合計枚数を算出し、
商材提案部は、第１の合計枚数が下限枚数未満であり、かつ、第１の画像商材よりも少ない画像を使用する画像商材が１以上の画像商材の中に含まれている場合に、異なる選択肢として第１の画像商材よりも少ない画像を使用する画像商材を提案する提案情報を送付することが好ましい。
【００１７】
さらに、第１の画像群の枚数が使用枚数範囲の下限枚数未満である場合に、第１の画像群をトリミングして加工画像を作成するトリミング部を備え、
画像数算出部は、第１の一定期間が経過した後、第１の画像群の枚数および加工画像の枚数を加算して第１の合計枚数を算出し、
商材提案部は、第１の合計枚数が下限枚数未満であり、かつ、第１の画像商材よりもページ数が少ない画像商材が１以上の画像商材の中に含まれている場合に、異なる選択肢として第１の画像商材よりもページ数が少ない画像商材を提案する提案情報を送付することが好ましい。
【００１８】
さらに、第１の画像群の枚数が使用枚数範囲の下限枚数未満である場合に、第１の画像群をトリミングして加工画像を作成するトリミング部を備え、
画像数算出部は、第１の一定期間が経過した後、第１の画像群の枚数および加工画像の枚数を加算して第１の合計枚数を算出し、
商材提案部は、第１の合計枚数が下限枚数未満である場合に、異なる選択肢として第１の画像商材の使用を断念することを提案する提案情報を送付することが好ましい。
【００１９】
また、アップロード催促部は、第１の画像群の枚数が下限枚数未満である場合に、画像のアップロードを催促する第２の催促情報を、複数のユーザの端末装置に対して送付することが好ましい。
【００２０】
また、画像取得部は、第２の催促情報が送付されてから第２の一定期間、複数のユーザの端末装置からアップロードされた第２の画像群を取得し、
画像数算出部は、第２の一定期間が経過した後、第１の画像群の枚数および第２の画像群の枚数を加算して第２の合計枚数を算出し、
商材提案部は、第２の合計枚数が下限枚数未満であり、かつ、第１の画像商材よりも少ない画像を使用する画像商材が１以上の画像商材の中に含まれている場合に、異なる選択肢として第１の画像商材よりも少ない画像を使用する画像商材を提案する提案情報を送付することが好ましい。
【００２１】
また、画像取得部は、第２の催促情報が送付されてから第２の一定期間、複数のユーザの端末装置からアップロードされた第２の画像群を取得し、
画像数算出部は、第２の一定期間が経過した後、第１の画像群の枚数および第２の画像群の枚数を加算して第２の合計枚数を算出し、
商材提案部は、第２の合計枚数が下限枚数未満であり、かつ、第１の画像商材よりもページ数が少ない画像商材が１以上の画像商材の中に含まれている場合に、異なる選択肢として第１の画像商材よりもページ数が少ない画像商材を提案する提案情報を送付することが好ましい。
【００２２】
また、画像取得部は、第２の催促情報が送付されてから第２の一定期間、複数のユーザの端末装置からアップロードされた第２の画像群を取得し、
画像数算出部は、第２の一定期間が経過した後、第１の画像群の枚数および第２の画像群の枚数を加算して第２の合計枚数を算出し、
商材提案部は、第２の合計枚数が下限枚数未満である場合に、異なる選択肢として第１の画像商材の使用を断念することを提案する提案情報を送付することが好ましい。
【００２３】
また、アップロード催促部は、第１の催促情報を、第１ユーザの端末装置に対して送付し、第１の催促情報を第１のユーザ以外のユーザの端末装置に対して送付する送付指示を、第１ユーザの端末装置から取得し、送付指示に応じて、第１の催促情報を、第１ユーザ以外のユーザの端末装置に対して送付することが好ましい。
【００２４】
また、アップロード催促部は、電子メールまたはメッセージを送受信するアプリケーションを用いて、第１の催促情報を、複数のユーザの端末装置に対して送付することが好ましい。
【００２５】
また、枚数範囲取得部は、第１の画像商材のサイズおよびページ数のうちの少なくとも一方に応じて使用枚数範囲を取得することが好ましい。
【００２６】
また、１以上の画像商材は、各々サイズおよびページ数のうちの少なくとも一方が異なる複数種類の画像商材を含むことが好ましい。
【００２７】
また、本発明は、商材取得部が、１以上の画像商材の中から、複数のユーザのうちの少なくとも一人の第１ユーザによって設定された第１の画像商材を、ネットワークを介して、第１ユーザの端末装置から取得するステップと、
枚数範囲取得部が、第１の画像商材において使用する画像の使用枚数範囲を取得するステップと、
アップロード催促部が、画像のアップロードを催促する第１の催促情報を、ネットワークを介して、複数のユーザの端末装置に対して送付するステップと、
画像取得部が、第１の催促情報が送付されてから第１の一定期間、複数のユーザの端末装置からアップロードされた第１の画像群を、ネットワークを介して取得するステップと、
画像数算出部が、第１の一定期間が経過した後、第１の画像群の枚数を算出するステップと、
商材提案部が、第１の画像群の枚数が使用枚数範囲外である場合に、第１の画像群の枚数に応じて、第１の画像商材とは異なる選択肢を提案する提案情報を、ネットワークを介して、第１ユーザの端末装置に対して送付するステップとを含む画像処理方法を提供する。
【００２８】
また、本発明は、上記に記載の画像処理方法の各ステップをコンピュータに実行させるためのプログラムを提供する。
【００２９】
また、本発明は、上記に記載の画像処理方法の各々のステップをコンピュータに実行させるためのプログラムが記録されたコンピュータ読み取り可能な記録媒体を提供する。
【発明の効果】
【００３０】
本発明では、画像の枚数が枚数範囲取得部によって取得された使用枚数範囲外である場合に、商材提案部により、画像の枚数に応じて、商材取得部によって取得された画像商材とは異なる選択肢が提案される。これにより、複数の参加ユーザの端末装置から複数の画像を取得して合成画像を作成する場合に、画像の枚数を事前に知ることができなくても、適切な画像商材を使用することができる。
【図面の簡単な説明】
【００３１】
【図１】本発明に係る画像処理装置の構成を表す一実施形態のブロック図である。
【図２】図１に示すサーバの構成を表す一実施形態のブロック図である。
【図３】図２に示す情報設定部の構成を表す一実施形態のブロック図である。
【図４】図２に示す情報管理部の構成を表す一実施形態のブロック図である。
【図５】図２に示すデータ取得部の構成を表す一実施形態のブロック図である。
【図６】図２に示すデータ解析部の構成を表す一実施形態のブロック図である。
【図７】図２に示す合成画像作成部の構成を表す一実施形態のブロック図である。
【図８】図１に示すユーザの端末装置の構成を表す一実施形態のブロック図である。
【図９】図１に示す画像処理装置の動作を表す一実施形態のフローチャートである。
【図１０】図９に続く画像処理装置の動作を表す一実施形態のフローチャートである。
【図１１】図１０に続く画像処理装置の動作を表す一実施形態のフローチャートである。
【図１２】合成画像の予算を設定する画面を表す一例の概念図である。
【図１３】フォトブックの表紙ページのデザインを設定する画面を表す一例の概念図である。
【図１４】フォトブックの寄せ書きページのデザインを設定する画面を表す一例の概念図である。
【図１５】画像および寄せ書きメッセージの募集締切日を設定する画面を表す一例の概念図である。
【図１６】合成画像の作成期間を設定する画面を表す一例の概念図である。
【図１７】画像商品の配送日を設定する画面を表す一例の概念図である。
【図１８】画像商材および日程の情報を確認する画面を表す一例の概念図である。
【図１９】アカウント情報を入力する画面を表す一例の概念図である。
【図２０】幹事ユーザのログインと、画像商材および日程の情報の保存とが完了したことを表す画面を表す一例の概念図である。
【図２１】参加ユーザの端末装置へ送付する招待状を作成するための画面を表す一例の概念図である。
【図２２】招待状の内容を確認するための画面を表す一例の概念図である。
【図２３】招待状を参加ユーザの端末装置へ送付するための画面を表す一例の概念図である。
【図２４】受け取った招待状を表す画面を表す一例の概念図である。
【図２５】合成画像において使用される画像、画像の評価情報、寄せ書きメッセージ等を参加ユーザがアップロードする画面にアクセスするための共通パスワードを入力するための画面を表す一例の概念図である。
【図２６】新規な参加ユーザを登録するための画面を表す一例の概念図である。
【図２７】参加ユーザとして登録する名前および秘密のコトバを登録するための画面を表す一例の概念図である。
【図２８】参加ユーザがアップロードする画像を選択するための画面を表す一例の概念図である。
【図２９】２以上の参加ユーザの端末装置から送信された複数の画像の各々を評価するための画面を表す一例の概念図である。
【図３０】寄せ書きページがフォトブックの巻末に入ることを通知する画面を表す一例の概念図である。
【図３１】寄せ書きページにおいて使用する参加ユーザのプロフィール画像を設定するための画面を表す一例の概念図である。
【図３２】寄せ書きメッセージを入力するための画面を表す一例の概念図である。
【図３３】参加ユーザが入力した寄せ書きメッセージを確認するための画面を表す一例の概念図である。
【図３４】寄せ書きメッセージのアップロードが完了したことを表す画面を表す一例の概念図である。
【発明を実施するための形態】
【００３２】
以下に、添付の図面に示す好適実施形態に基づいて、本発明の画像処理装置、画像処理方法、プログラムおよび記録媒体を詳細に説明する。
【００３３】
図１は、本発明に係る画像処理装置の構成を表す一実施形態のブロック図である。同図に示す画像処理装置１０は、合成画像の作成に関わる複数のユーザの端末装置からネットワーク１６を介して取得された複数の画像を用いて、寄せ書きページを含むフォトブック等の合成画像を作成するものである。画像処理装置１０は、サーバ１２と、ネットワーク１６を介してサーバ１２に接続された複数のユーザの端末装置（クライアント）１４とを備えている。
【００３４】
サーバ１２は、端末装置１４からの指示に基づいて、合成画像を作成するための種々のデータ処理を行うものであり、例えば、デスクトップPC（Personal Computer：パーソナルコンピュータ）またはワークステーション等により構成される。
【００３５】
端末装置１４は、サーバ１２に対して各種の指示を与えて種々のデータ処理を行わせるものであり、例えば、スマートフォン、タブレットPCまたはノートPC等により構成される。
【００３６】
ネットワーク１６は、例えば、電話回線またはインターネット回線等であり、有線または無線によってサーバ１２と端末装置１４との間を相互に接続し、双方向の通信を可能とするものである。
【００３７】
図２は、図１に示すサーバの構成を表す一実施形態のブロック図である。同図に示すサーバ１２は、合成画像に関する各種の情報を設定する情報設定部１８と、合成画像の作成に関する各種の情報を管理する情報管理部２０と、合成画像において使用する各種のデータを取得するデータ取得部２２と、合成画像において使用する各種のデータを解析するデータ解析部２４と、合成画像を作成する合成画像作成部２６とを備えている。
【００３８】
以下の説明では、本編ページおよび寄せ書きページを含む合成画像の作成に関わる複数のユーザのうち、合成画像を作成する一人のユーザを幹事ユーザと表現し、幹事ユーザを含む２以上のユーザを参加ユーザと表現する。例えば、幹事が友人グループのうちの一人である場合などがこれに該当する。
ただし、別の実施態様において、写真店が幹事の代行を請け負う場合のように幹事自体は写真もメッセージも提供しないような場合は、参加ユーザの数には幹事ユーザの数は含まないものとする。
【００３９】
図３は、図２に示す情報設定部の構成を表す一実施形態のブロック図である。同図に示す情報設定部１８は、予算設定部２８と、商材取得部３０と、枚数範囲取得部７２と、表紙デザイン設定部３２と、寄せ書きデザイン設定部３４と、日程設定部３６とを備えている。
【００４０】
予算設定部２８は、幹事ユーザによって設定された合成画像の予算の情報を、ネットワーク１６を介して、幹事ユーザの端末装置１４から取得するものである。
【００４１】
続いて、商材取得部３０は、予算設定部２８によって取得された予算の情報に対応するサイズおよびページ数の１以上の画像商材（の情報）の中から幹事ユーザによって設定された１つの画像商材を、ネットワーク１６を介して、幹事ユーザの端末装置１４から取得するものである。
【００４２】
画像商材は、画像商品を作成するための素材であり、例えば、フォトブック等のフォトアルバム、シャッフルプリント、画像付きカレンダ等を含む。画像は主に写真である。
また、画像商材には、各々サイズおよびページ数のうちの少なくとも一方が異なる複数種類の画像商材が含まれる。画像商材のページ数は、本編ページおよび寄せ書きページを含むページ数である。画像商品には、紙媒体の画像商品および電子データの画像商品が含まれる。
本発明にいうページとは、画像配置および寄せ書き配置を行う単位をいう。本実施形態においては、見開きページのことを指す。しかし、他の実施形態においては片面ページであってもよい。また、本実施形態内の画像処理装置の内部では見開きページを単位とし、かつユーザには片面ページを単位として画像商材のページ数を表示することとしてもよい。
【００４３】
フォトブックは、例えば、ユーザが選択した複数の画像を、ユーザの所望のレイアウトで複数のページに配置した合成画像である。フォトブックはまた、ユーザが保有する所望の期間（例えば一年分）の画像から、自動選択により選択された画像を、自動レイアウトで複数のページに配置した合成画像であってもよい（例えば富士フイルム株式会社製のイヤーアルバム）。また、シャッフルプリントは、複数の画像をシャッフルして１枚のプリントに配置した合成画像である。画像付きカレンダは、例えば、各月のカレンダに対応する画像を配置した合成画像である。
【００４４】
本実施形態の場合、合成画像は、寄せ書きページを巻末に含むフォトブックである。寄せ書きページは、参加ユーザの端末装置１４から取得された２以上の参加ユーザの寄せ書きメッセージが配置された合成画像である。寄せ書きメッセージは、寄せ書きメッセージにおいて使用される参加ユーザのメッセージである。
また、寄せ書きメッセージに加えて、プロフィール画像を寄せ書きページに配置してもよい。プロフィール画像は、例えば、参加ユーザの顔画像であるが、その他の画像でもよい。
【００４５】
続いて、枚数範囲取得部７２は、商材取得部３０で取得された画像商材において使用する画像の使用枚数範囲、つまり、画像商材において使用する画像の下限枚数および上限枚数を取得するものである。
【００４６】
枚数範囲取得部７２は、画像商材の種類に応じて画像の使用枚数範囲を取得する。例えば、画像商材のサイズおよびページ数のうち少なくとも一方に応じて画像の使用枚数範囲を取得することができる。
【００４７】
続いて、表紙デザイン設定部３２は、１以上の表紙ページのデザインの中から、幹事ユーザによって設定された１つの表紙ページのデザインの情報を、ネットワーク１６を介して、幹事ユーザの端末装置１４から取得するものである。
【００４８】
表紙ページのデザインの情報には、例えば、表紙ページの模様、表紙ページに描かれているイラスト等のデザインの情報の他、表紙ページに記載される合成画像のタイトルの情報、表紙ページの色の情報等が含まれる。
【００４９】
続いて、寄せ書きデザイン設定部３４は、１以上の寄せ書きページのデザインの中から、幹事ユーザによって設定された１つの寄せ書きページのデザインの情報を、ネットワーク１６を介して、幹事ユーザの端末装置１４から取得するものである。
【００５０】
寄せ書きページのデザインの情報には、例えば、参加ユーザのプロフィール画像および寄せ書きメッセージを寄せ書きページに配置する位置および大きさ等があらかじめ設定されたテンプレートの情報等を含む。
【００５１】
続いて、日程設定部３６は、幹事ユーザによって設定された画像および寄せ書きメッセージの募集締切日、合成画像の作成期間、および、画像商品の配送日を含む日程の情報を、ネットワーク１６を介して、幹事ユーザの端末装置１４から取得するものである。
【００５２】
画像および寄せ書きメッセージの募集締切日は、参加ユーザが画像および寄せ書きメッセージをアップロード（投稿）することができる期限、つまり、画像処理装置１０が参加ユーザの端末装置１４から画像および寄せ書きメッセージを取得することができる期限を表す。
また、合成画像の作成期間は、幹事ユーザが、複数のユーザの端末装置１４から取得された複数の画像を用いて合成画像を作成するための期間、言い換えると、画像商品を注文する期限を表し、画像商品の配送日は、画像商品を配送する日付を表す。
【００５３】
続いて、図４は、図２に示す情報管理部の構成を表す一実施形態のブロック図である。同図に示す情報管理部２０は、設定保存部３８と、アカウント情報保存部４０と、管理画面情報送付部４２と、アップロード催促部４４とを備えている。
【００５４】
設定保存部３８は、商材取得部３０によって取得された画像商材、および、日程設定部３６によって取得された日程の情報を保存するものである。
【００５５】
続いて、アカウント情報保存部４０は、幹事ユーザによって設定された幹事ユーザのアカウント情報を、ネットワーク１６を介して、幹事ユーザの端末装置１４から取得するものである。また、アカウント情報保存部４０は、参加ユーザによって設定された参加ユーザのアカウント情報を、ネットワーク１６を介して、参加ユーザの端末装置１４から取得して保存する。
【００５６】
例えば、幹事ユーザのアカウント情報は、幹事ユーザのメールアドレスおよび幹事パスワードである。一方、参加ユーザのアカウント情報は、参加ユーザの名前および個別パスワード（参加ユーザに対しては図２７にあるように「秘密のコトバ」と表示される）である。参加ユーザの名前は、幹事ユーザが参加ユーザを管理するために使用され、個別パスワードは、画像処理装置１０が参加ユーザを特定するために使用される。本実施形態の場合、秘密のコトバは、後から変更および再発行はできないものとする。
【００５７】
続いて、管理画面情報送付部４２は、幹事ユーザが、画像商材および日程等を管理する管理画面にアクセスするためのURL（Uniform Resource Locator）を含むメッセージを、ネットワーク１６を介して、幹事ユーザの端末装置１４に送付するものである。幹事ユーザは、管理画面から画像商材および日程の変更の他、幹事ユーザの変更、幹事ユーザの追加（例えば後述する副幹事の追加）等を行うことができる。
【００５８】
管理画面情報送付部４２は、例えば、電子メールにより、管理画面にアクセスするためのURLを含むメッセージを、アカウント情報保存部４０によって取得された幹事ユーザのメールアドレスに送付する。
【００５９】
続いて、アップロード催促部４４は、幹事ユーザによって作成された招待状を、ネットワーク１６を介して、参加ユーザの端末装置１４へ送付するものである。
【００６０】
招待状は、参加ユーザを合成画像の作成に招待し、合成画像において使用される画像、各々の画像に対する評価情報、プロフィール画像および寄せ書きメッセージ等をアップロードすることを参加ユーザに催促する催促情報である。
【００６１】
アップロード催促部４４は、招待状を、例えば、SNS（Social Networking Service：ソーシャルネットワーキングサービス）のメッセージ、または、電子メールによって参加ユーザの端末装置１４に送付する。
【００６２】
続いて、図５は、図２に示すデータ取得部の構成を表す一実施形態のブロック図である。同図に示すデータ取得部２２は、画像取得部４６と、評価情報取得部４８と、メッセージ取得部５０とを備えている。
【００６３】
画像取得部４６は、一定の期間、本実施形態の場合、招待状が送付されてから、日程設定部３６によって設定された画像および寄せ書きメッセージの募集締切日までの期間、２以上の参加ユーザの端末装置１４からネットワーク１６を介して送信された複数の画像（画像群）を取得するものである。また、画像取得部４６は、各々の参加ユーザによって設定された参加ユーザのプロフィール画像を取得する。
【００６４】
続いて、評価情報取得部４８は、同じく一定の期間、２以上の参加ユーザによって付与された各々の画像に対する評価を表す評価情報を、ネットワーク１６を介して、２以上の参加ユーザの各々の端末装置１４から取得するものである。
【００６５】
画像の評価情報は、各々の画像に対する各々の参加ユーザの評価、例えば、高評価または低評価を表す情報である。
【００６６】
続いて、メッセージ取得部５０は、同じく一定の期間、各々の参加ユーザによってアップロードされた寄せ書きメッセージを、ネットワーク１６を介して、各々の参加ユーザの端末装置１４から取得するものである。
【００６７】
続いて、図６は、図２に示すデータ解析部の構成を表す一実施形態のブロック図である。同図に示すデータ解析部２４は、画像数算出部５２と、評価数算出部５４と、メッセージ数算出部５６と、画像解析部５８と、評価値算出部６０と、商材提案部７４とを備えている。
【００６８】
画像数算出部５２は、アップロード催促部４４によって招待状が送付されてから一定の期間が経過した後、つまり、画像および寄せ書きメッセージの募集締切日が過ぎた後、画像取得部４６によって取得された画像の数を算出するものである。
【００６９】
続いて、評価数算出部５４は、同じく画像および寄せ書きメッセージの募集締切日が過ぎた後、評価情報取得部４８によって取得されたユーザの評価の高低（高評価および低評価）を表す評価情報の数を算出するものである。
【００７０】
続いて、メッセージ数算出部５６は、同じく画像および寄せ書きメッセージの募集締切日が過ぎた後、メッセージ取得部５０によって取得された寄せ書きメッセージの数を算出するものである。
【００７１】
続いて、画像解析部５８は、画像取得部４６によって取得された各々の画像の内容を解析するものである。本実施形態の場合、画像解析部５８は、画像取得部４６によって画像が取得される毎に、画像解析を行う。
【００７２】
画像解析部５８は、例えば、画像の明るさや色合い、ボケおよびブレの程度等の解析の他、画像に人物の顔が含まれる場合には、顔の大きさ、顔の位置、顔の向き、顔の肌色、笑顔等の表情、目線、画像に含まれる人物の数、人物の位置関係等の解析を行う。
【００７３】
続いて、評価値算出部６０は、画像解析部５８による各々の画像の解析結果に基づいて、各々の画像の解析評価値を算出するものである。また、評価値算出部６０は、評価情報取得部４８によって取得された各々の画像に対する高評価および低評価を表す評価情報に基づいて、各々の画像の解析評価値に対して値を加減算ないしは重み付けして、各々の画像の総合評価値を算出する。
【００７４】
評価値算出部６０は、例えば、評価数算出部５４によって算出された高評価を表す評価情報の数に基づいて、画像の解析評価値に対して値を加算し、低評価を表す評価情報の数に基づいて、画像の解析評価値に対して値を減算することによって画像の総合評価値を算出することができる。
【００７５】
画像の解析評価値は、画像の解析結果に基づいて算出されるため、画像の良し悪しを決定するための基準となり、解析評価値が高いほど、画質の良い画像であると言える。
画像の総合評価値は、画像の解析結果に加えて、参加ユーザによって付与された高評価および低評価を表す評価情報に基づいて算出されるため、画像の良し悪しに加えて、参加ユーザの好みを判断するための基準となり、総合評価値が高いほど、画質の良い画像、または、参加ユーザの好みの画像であると言える。
【００７６】
続いて、商材提案部７４は、画像数算出部５２によって算出された画像の枚数が、枚数範囲取得部７２によって取得された使用枚数範囲外である場合に、画像数算出部５２によって算出された画像の枚数に応じて、商材取得部３０によって取得された画像商材とは異なる選択肢を提案する提案情報を、ネットワーク１６を介して、幹事ユーザの端末装置１４に対して送付するものである。
【００７７】
提案情報は、画像取得部４６によって取得された画像の枚数、および、商材取得部３０によって取得された画像商材の種類に応じて、選択肢の内容が決定される。提案情報の送付手段としては、SNSのメッセージ、または、電子メール等が用いられる。
【００７８】
続いて、画像数評価部７６は、画像数算出部５２によって算出された画像の枚数が、枚数範囲取得部７２により取得された画像の使用画像範囲外であるか否かを評価し、その評価結果である枚数評価情報を出力するものである。
【００７９】
続いて、図７は、図２に示す合成画像作成部の構成を表す一実施形態のブロック図である。同図に示す合成画像作成部２６は、表紙作成部６２と、本編作成部６４と、寄せ書き作成部６６と、トリミング部７８とを備えている。
【００８０】
表紙作成部６２は、設定保存部３８に保存された商材の情報、および、表紙デザイン設定部３２によって取得された表紙ページのデザインの情報に対応するデザインの表紙ページを作成するものである。
【００８１】
続いて、本編作成部６４は、画像取得部４６によって取得された複数の画像を用いて、設定保存部３８に保存された商材の情報に対応するページ数の本編ページ（表紙ページおよび寄せ書きページ以外のページ）を作成するものである。本編作成部６４は、設定保存部３８に保存された商材の情報に対応する合成画像、本実施形態の場合、フォトブックの本編ページを作成する。
【００８２】
本編作成部６４は、図示省略するが、画像分割部、画像抽出部および画像配置部等を備えている。
【００８３】
画像分割部は、画像取得部４６によって取得された複数の画像を、本編ページのページ数に対応する数のグループに分割するものである。
【００８４】
画像抽出部は、画像のグループ毎に、画像の総合評価値に基づいて、グループに含まれる画像の中から、本編ページにおいて使用する複数の合成対象画像を抽出するものである。
【００８５】
画像配置部は、画像のグループ毎に、画像の総合評価値に基づいて、画像抽出部によって抽出された各々の合成対象画像のサイズおよび本編ページにおける配置位置を決定し、合成対象画像を、画像のグループに対応するページの本編ページに配置（自動レイアウト）するものである。
【００８６】
続いて、寄せ書き作成部６６は、メッセージ取得部５０によって取得された参加ユーザのプロフィール画像および寄せ書きメッセージを用いて、寄せ書きページを作成するものである。寄せ書き作成部６６は、設定保存部３８に保存された商材の情報、および、寄せ書きデザイン設定部３４によって取得された寄せ書きのデザインの情報に対応するデザインの寄せ書きページを作成する。
【００８７】
寄せ書き作成部６６は、図示省略するが、メッセージ分割部およびメッセージ配置部等を備えている。
【００８８】
メッセージ分割部は、メッセージ取得部５０によって取得された寄せ書きメッセージを、寄せ書きページのページ数に対応する数のグループに分割するものである。
【００８９】
メッセージ配置部は、寄せ書きメッセージのグループ毎に、グループに含まれる寄せ書きメッセージを、寄せ書きメッセージのグループに対応するページの寄せ書きページに配置するものである。
【００９０】
寄せ書きページのページ数は、参加ユーザの数および寄せ書きメッセージの数等に応じて設定される。また、本編ページのページ数は、合成画像のページ数および寄せ書きページのページ数等に応じて設定される。本実施形態の場合、参加ユーザの数を２〜３６人とし、１ページの寄せ書きページに２〜１２の寄せ書きメッセージを配置し、１６ページのフォトブックを作成するものとする。
【００９１】
トリミング部７８は、画像数算出部５２によって算出された画像の枚数が、枚数範囲取得部７２によって取得された使用枚数範囲の下限枚数未満である場合に、画像取得部４６によって取得された画像をトリミングして加工画像を作成するものである。
【００９２】
上記情報設定部１８、情報管理部２０、データ取得部２２、データ解析部２４、合成画像作成部２６を構成する各部位は、例えば、CPU（Central Processing Unit：中央処理装置）等の制御デバイスが、メモリにロードされたプログラムを実行することにより実現される。また、各部位によって保存されるデータは、例えば、HDD（Hard Disk Drive：ハードディスクドライブ）、SSD（Solid State Drive：ソリッドステートドライブ）、SD（Secure Digital：セキュアデジタル）メモリ等の記憶デバイスに保存される。
【００９３】
次に、図８は、図１に示すユーザの端末装置の構成を表す一実施形態のブロック図である。同図に示すユーザの端末装置１４は、画像表示部６８と、指示入力部７０とを備えている。
【００９４】
端末装置１４において、画像表示部６８は、各種の設定画面、選択画面、確認画面、入力画面、作成画面等を表示するものであり、例えば、液晶ディスプレイ等の表示デバイスによって構成される。
【００９５】
続いて、指示入力部７０は、ユーザによって入力された各種の設定指示、選択指示、確認指示、入力指示、作成指示等を取得するものであり、例えば、キーボードおよびマウス等の入力デバイスによって構成される。
【００９６】
本実施形態の場合、画像表示部６８および指示入力部７０は、タッチパネル等のように、表示デバイスおよび入力デバイスが一体化されたデバイスによって構成される。
【００９７】
端末装置１４は、合成画像の作成に関わる各々のユーザに１対１に対応して１台である必要はなく、画像処理装置１０における各々のユーザのアカウントに対応することができるものであれば、各々のユーザに対応して複数台であってもよい。
【００９８】
図示省略しているが、サーバ１２および端末装置１４は、例えば、サーバ１２と端末装置１４との間で各種データの送受信を行う通信デバイス等である送受信部、各部位の動作を制御するCPU等である制御部等を備えている。
【００９９】
次に、図９〜図１１に示すフローチャートおよび図１２〜図３４に示す表示画面を参照しながら、画像処理装置１０の動作を説明する。
【０１００】
合成画像を作成する場合、まず、幹事ユーザは、幹事ユーザの端末装置１４において、指示入力部７０を介して、画像処理装置１０が提供する、合成画像を作成するためのウェブサイトにアクセスする。
【０１０１】
合成画像を作成するためのウェブサイトにアクセスすると、図１２に示すように、予算設定部２８により、合成画像の予算を設定する画面が、幹事ユーザの端末装置１４の画像表示部６８に表示される。
【０１０２】
幹事ユーザは、合成画像の予算を設定する画面において、指示入力部７０を介して、幹事ユーザが作成する合成画像の予算を設定する。図１２の例では、プルダウンメニューによって、合成画像の予算の一覧があらかじめ登録されている。幹事ユーザは、プルダウンメニューに登録されている合成画像の予算の一覧の中から１つの予算、例えば、３０００円〜４０００円を選択して設定する。
【０１０３】
合成画像の予算が設定されると、予算設定部２８により、幹事ユーザによって設定された合成画像の予算の情報が、幹事ユーザの端末装置１４から取得される（ステップS1）。
【０１０４】
続いて、商材取得部３０により、予算の情報に対応する１以上の画像商材が提示される。図１２の例では、画像商材として、サイズおよびページ数の異なる５件のフォトブックが提示される。
【０１０５】
画像商材が提示されると、商材取得部３０により、提示した１以上の画像商材の中から１つの画像商材を設定する画面が、幹事ユーザの端末装置１４の画像表示部６８に表示される。
【０１０６】
幹事ユーザは、画像商材を設定する画面において、指示入力部７０を介して、提示された１以上の画像商材の中から１つの画像商材を選択して設定する。図１２の例では、A4サイズの１６ページのフォトブックが設定されている。
【０１０７】
画像商材としてフォトブックが設定された後、「次へ」のボタンが押されると、例えば、「次へ」のボタンがタップまたはクリックされると、商材取得部３０により、幹事ユーザによって設定された１つの画像商材が取得される（ステップS2）。
【０１０８】
なお、「＜」のボタンが押されると、１つ前の画面に戻ることができる。これ以後の画面においても同様である。
【０１０９】
画像商材が取得されると、枚数範囲取得部７２によって、その画像商材において使用する画像の使用枚数範囲が設定される（ステップS3）。
【０１１０】
続いて、図１３に示すように、表紙デザイン設定部３２により、フォトブックの表紙ページのデザインを設定する画面が、幹事ユーザの端末装置１４の画像表示部６８に表示される。
【０１１１】
幹事ユーザは、表紙ページのデザインを設定する画面において、指示入力部７０を介して、１以上の表紙ページのデザイン、図１３の例では、３件の表紙ページのデザインの中から、１つの表紙ページのデザインを選択して設定する。また、幹事ユーザは、フォトブックの表紙ページのデザインの情報として、例えば、表紙ページに記載される最大２０文字までのフォトブックのタイトル、および、表紙ページの色を設定することができる。
【０１１２】
表紙ページのデザインが設定された後、「次へ」のボタンが押されると、表紙デザイン設定部３２により、幹事ユーザによって設定された表紙ページのデザインの情報が、幹事ユーザの端末装置１４から取得される（ステップS4）。
【０１１３】
続いて、図１４に示すように、寄せ書きデザイン設定部３４により、フォトブックの寄せ書きページのデザインを設定する画面が、幹事ユーザの端末装置１４の画像表示部６８に表示される。
【０１１４】
幹事ユーザは、寄せ書きページのデザインを設定する画面において、指示入力部７０を介して、１以上の寄せ書きのデザイン、図１４の例では、９件の寄せ書きのデザインの中から、１つの寄せ書きのデザインを選択して設定する。
【０１１５】
寄せ書きページのデザインが設定された後、「次へ」のボタンが押されると、寄せ書きデザイン設定部３４により、幹事ユーザによって設定された寄せ書きページのデザインの情報が、幹事ユーザの端末装置１４から取得される（ステップS5）。
【０１１６】
続いて、図１５に示すように、日程設定部３６により、画像および寄せ書きメッセージの募集締切日を設定する画面が、幹事ユーザの端末装置１４の画像表示部６８に表示される。
【０１１７】
幹事ユーザは、画像および寄せ書きメッセージの募集締切日を設定する画面において、指示入力部７０を介して、画像および寄せ書きメッセージの募集締切日を設定する。図１５の例では、プルダウンメニューによって、現在の日付から一定期間内の日付の一覧があらかじめ登録されている。幹事ユーザは、プルダウンメニューに登録されている日付の一覧の中から１つの日付、例えば、１２月２日を募集締切日として選択して設定する。
【０１１８】
画像および寄せ書きメッセージの募集締切日が設定された後、「次へ」のボタンが押されると、日程設定部３６により、幹事ユーザによって設定された画像および寄せ書きメッセージの募集締切日の情報が、幹事ユーザの端末装置１４から取得される（ステップS6）。
【０１１９】
続いて、図１６に示すように、日程設定部３６により、合成画像の作成期間を設定する画面が、幹事ユーザの端末装置１４の画像表示部６８に表示される。
【０１２０】
幹事ユーザは、合成画像の作成期間を設定する画面において、指示入力部７０を介して、合成画像の作成期間を設定する。図１６の例では、プルダウンメニューによって、画像および寄せ書きメッセージの募集の期間の締切日から３０日以内の日付の一覧があらかじめ登録されている。幹事ユーザは、プルダウンメニューに登録されている日付の一覧の中から１つの日付、例えば、１２月４日を選択することによって１２月２日〜４日を作成期間として設定する。
【０１２１】
合成画像の作成期間が設定された後、「次へ」のボタンが押されると、日程設定部３６により、幹事ユーザによって設定された合成画像の作成期間の情報が、幹事ユーザの端末装置１４から取得される（ステップS6）。
【０１２２】
続いて、図１７に示すように、日程設定部３６により、画像商品の配送日を設定する画面が、幹事ユーザの端末装置１４の画像表示部６８に表示される。
【０１２３】
画像商品の配送日は、日程設定部３６により、合成画像の作成期間の締切日から一定の期間の後の日付、図１７の例では、合成画像の作成期間の最終日である１２月４日から１６日後の１２月２０日に自動で設定される。
【０１２４】
幹事ユーザは、画像商品の配送日を設定する画面において、指示入力部７０を介して、画像商品の配送日を変更することができる。図１７の例では、例えば、追加料金を支払って、特急仕上げを指定することによって、画像商品の配送日を１２月２０日よりも前の日付に設定することができる。
【０１２５】
画像商品の配送日が設定された後、「次へ」のボタンが押されると、日程設定部３６により、画像商品の配送日の情報が取得される（ステップS6）。
【０１２６】
複数のユーザの端末装置１４から送信された複数の画像を用いて合成画像を作成する場合、期限管理が難しいが、画像処理装置１０では、期限管理を行うことができるため、幹事ユーザの負担を軽減することができる。
【０１２７】
続いて、図１８に示すように、設定保存部３８により、画像商材および日程の情報を確認する画面が、幹事ユーザの端末装置１４の画像表示部６８に表示される。
【０１２８】
幹事ユーザは、画像商材および日程の情報を確認する画面において、画像商材および日程の情報を確認し、その設定でよい場合には、「保存／ログイン」のボタンを押して次の画面へ進み、設定を変更したい場合には、「＜」のボタンを押して前の画面に戻る。
【０１２９】
「保存／ログイン」のボタンが押されると、図１９に示すように、設定保存部３８により、幹事ユーザが画像処理装置１０へログインするためのアカウント情報を入力する画面が、幹事ユーザの端末装置１４の画像表示部６８に表示される。
【０１３０】
幹事ユーザは、画像処理装置１０にログインするためのアカウント情報として、指示入力部７０を介して、幹事ユーザのメールアドレスおよび幹事パスワードを入力する。幹事ユーザが既に画像処理装置１０への会員登録を済ませている場合には、「ログイン」のボタンを押す。また、会員登録後に幹事パスワードを忘れた場合には、「パスワード忘れ」のボタンを押すことによって幹事パスワードを回復するための処理を行う。
【０１３１】
「ログイン」のボタンが押されると、アカウント情報保存部４０により、既に保存されているアカウント情報と、幹事ユーザによって入力されたアカウント情報とが比較され、両者が一致した場合に、幹事ユーザは画像処理装置１０にログインすることができる。
【０１３２】
一方、まだ会員登録を済ませていない場合には、「新規会員登録」のボタンを押すことによって新規に会員登録を行うための処理を行う。「新規会員登録」のボタンが押されると、アカウント情報保存部４０により、幹事ユーザによって入力されたメールアドレスおよび幹事パスワードが取得され、幹事ユーザのアカウント情報として保存される。幹事ユーザの端末装置１４は、会員登録の完了後、画像処理装置１０へログインすることができる。
【０１３３】
続いて、設定保存部３８により、商材取得部３０によって取得された画像商材、および、日程設定部３６によって取得された日程の情報が保存される。
【０１３４】
続いて、図２０に示すように、設定保存部３８により、幹事ユーザのログインと、画像商材および日程の情報の保存とが完了したことを表す画面が、幹事ユーザの端末装置１４の画像表示部６８に表示される。
【０１３５】
続いて、管理画面情報送付部４２により、管理画面にアクセスするためのURLを含むメッセージが送付される。また、このメッセージには、画像商材および日程の情報が保存されたことを表す通知が含まれている。
【０１３６】
また、図２０の例では、幹事ユーザだけでなく、指示入力部７０を介して、幹事ユーザ以外の参加ユーザのメールアドレスを入力することによって、幹事ユーザ以外の参加ユーザ、例えば、幹事ユーザの代理を務める副幹事ユーザのメールアドレス等にも、管理画面にアクセスするためのURLを含むメッセージを送付することができる。
【０１３７】
続いて、「次へ」のボタンが押されると、図２１に示すように、アップロード催促部４４により、参加ユーザの端末装置１４へ送付する招待状を作成するための画面が、幹事ユーザの端末装置１４の画像表示部６８に表示される。
【０１３８】
幹事ユーザは、招待状を作成するための画面において、指示入力部７０を介して、招待状に含めるメッセージを一定文字以内、図２１の例では、１５０文字以内で入力する。また、図２７の例では、「みんなの写真とメッセージでフォトブックを贈ろうよ！」という初期メッセージが自動で入力されている。これにより、幹事ユーザがメッセージを入力する手間を省くことができる。幹事ユーザは、初期メッセージをそのまま使用してもよいし、他のメッセージを入力してもよい。
【０１３９】
「次へ」のボタンが押されると、アップロード催促部４４により、招待状に含めるメッセージの情報が取得され、招待状が作成される（ステップS7）。
【０１４０】
続いて、図２２に示すように、アップロード催促部４４により、招待状の内容を確認するための画面が、幹事ユーザの端末装置１４の画像表示部６８に表示される。
【０１４１】
幹事ユーザは、招待状の内容を確認するための画面において、招待状の内容を確認し、その内容でよい場合には、「招待状送付画面へ」のボタンを押して次の画面へ進み、内容を変更したい場合には、「＜」のボタンを押して前の画面に戻る。
【０１４２】
「招待状送付画面へ」のボタンが押されると、図２３に示すように、アップロード催促部４４により、招待状を参加ユーザの端末装置１４へ送付するための画面が、幹事ユーザの端末装置１４の画像表示部６８に表示される。
【０１４３】
幹事ユーザは、招待状を送付するための画面において、指示入力部７０を介して、招待状を送付する手段として、図２３の例では、SNSのメッセージまたは電子メールを選択する。招待状は、「SNS」のボタンが押された場合、SNSのメッセージとして参加ユーザのSNSのアカウントに送付され、「メール」のボタンが押された場合、電子メールによって参加ユーザのメールアドレスに送付される。
【０１４４】
幹事ユーザは、合成画像の作成に関わる全ての参加ユーザに対して招待状を送付してもよいし、一部の参加ユーザのみに対して招待状を送付してもよい。
【０１４５】
SNSのメッセージまたは電子メールには、招待状の他、合成画像で使用される画像、画像の評価情報、寄せ書きメッセージ等を参加ユーザがアップロードする画面にアクセスするための招待用URL、および、共通パスワード、図２３の例では、「５８６５」が含まれている。
【０１４６】
「次へ」のボタンが押されると、アップロード催促部４４により、招待状が参加ユーザの端末装置１４に送付される（ステップS8）。
【０１４７】
このように、アップロード催促部４４は、幹事ユーザによって作成された招待状を、まず、幹事ユーザの端末装置１４に対して送付する。そして、招待状の内容を幹事ユーザが確認した後、招待状を幹事ユーザ以外の参加ユーザの端末装置１４に対して送付する送付指示を、幹事ユーザの端末装置１４から取得すると、この送付指示に応じて、招待状を、幹事ユーザ以外の参加ユーザの端末装置１４に対して送付する。
【０１４８】
参加ユーザは、招待状を参加ユーザの端末装置１４において受け取り、指示入力部７０を介して、招待用URLで示されるウェブサイトにアクセスする。
【０１４９】
招待用URLで示されるウェブサイトにアクセスすると、図２４に示すように、アップロード催促部４４により、受け取った招待状を表す画面が、参加ユーザの端末装置１４の画像表示部６８に表示される（ステップS9）。
【０１５０】
招待状には、幹事ユーザからのメッセージの他、参加ユーザへの要望として、合成画像において使用する画像および寄せ書きメッセージをアップロードすること、および、その募集締切日等の情報、本実施形態の場合、１２月２日（水）の２３：５９が表示される。
【０１５１】
参加ユーザは、招待状を表す画面を閲覧して、幹事ユーザから参加ユーザへの要望が、フォトブックにする画像および寄せ書きメッセージのアップロードであり、その募集締切日が、１２月２日であることを理解する。
【０１５２】
続いて、「利用規約に同意する」のチェックボックスがチェックされ、「次へ」のボタンが押されると、図２５に示すように、アカウント情報保存部４０により、合成画像において使用される画像、画像の評価情報、寄せ書きメッセージ等を参加ユーザがアップロードする画面にアクセスするための共通パスワードを入力するための画面が、参加ユーザの端末装置１４の画像表示部６８に表示される。
【０１５３】
参加ユーザは、共通パスワードを入力するための画面において、指示入力部７０を介して、受け取った招待状に含まれている共通パスワード、図２５の例では、「５８６５」を入力する。
【０１５４】
共通パスワードが入力され、「次へ」のボタンが押されると、図２６に示すように、アカウント情報保存部４０により、新規な参加ユーザを登録するための画面が、参加ユーザの端末装置１４の画像表示部６８に表示される。
【０１５５】
新規な参加ユーザを登録するための画面には、既に参加ユーザとして登録済みのユーザ（現在の参加メンバー）の名前が表示される。登録済みの参加ユーザの名前を表示することは必須ではない。しかし、登録済みの参加ユーザの名前を表示することによって、ユーザが新規に参加ユーザとして登録する場合に、自分が知っている名前が登録済みの参加ユーザの名前の中にあれば、安心して登録を行うことができる。
【０１５６】
参加ユーザは、まだ参加ユーザとして画像処理装置１０に登録していない場合、「新規登録」のボタンを押し、既に参加ユーザとして登録済みの場合には、「内容修正」のボタンを押す。
【０１５７】
「新規登録」のボタンが押されると、図２７に示すように、アカウント情報保存部４０により、参加ユーザとして登録する名前および個別パスワード（図２７では「秘密のコトバ」と表示される。）を登録するための画面が、参加ユーザの端末装置１４の画像表示部６８に表示される。
【０１５８】
参加ユーザは、指示入力部７０を介して、名前として本名またはニックネームを入力し、秘密のコトバとして任意の文字列を入力する。
【０１５９】
参加ユーザの名前および秘密のコトバは、参加ユーザのアカウント情報となるものである。参加ユーザは、図２６に示すように、新規な参加ユーザを登録するための画面において、「内容修正」のボタンを押し、既に登録済みの名前および秘密のコトバを入力することによって、既にアップロードした画像、画像の評価情報、寄せ書きメッセージ等を修正することができる。
【０１６０】
参加ユーザの名前および秘密のコトバが入力され、「次へ」のボタンが押されると、アカウント情報保存部４０により、その参加ユーザの名前および秘密のコトバが取得され、参加ユーザのアカウント情報として保存される。
【０１６１】
続いて、図２８に示すように、画像取得部４６により、参加ユーザがアップロードする画像を選択するための画面が、参加ユーザの端末装置１４の画像表示部６８に表示される。
【０１６２】
参加ユーザは、アップロードする画像を選択するための画面において、「画像追加」のボタンを押すことによって、アップロードする画像を選択することができる。アップロードする画像を選択するための画面には、参加ユーザによって選択された画像の枚数が表示される。
【０１６３】
アップロードする画像が選択された後、「次へ」のボタンが押されると、画像取得部４６により、参加ユーザからアップロードされた画像、つまり、参加ユーザの端末装置１４から投稿された画像が取得される（ステップS10）。このように、画像取得部４６は、２以上の参加ユーザの端末装置１４から送信された複数の画像を取得する。また、画像取得部４６によって画像が取得される毎に、画像解析部５８により画像の解析が行われ、評価値算出部６０により、画像の解析結果に基づいて画像の解析評価値が算出される（ステップS11）。
【０１６４】
続いて、図２９に示すように、評価情報取得部４８により、２以上の参加ユーザの端末装置１４から送信された複数の画像の各々を評価するための画面が、参加ユーザの端末装置１４の画像表示部６８に表示される。
【０１６５】
参加ユーザは、各々の画像を評価するための画面において、指示入力部７０を介して、各々の画像に対して高評価または低評価を表す評価情報を付与することができる。例えば、参加ユーザは、各々の画像を閲覧し、自分が好きな画像に対して、「いいね」のボタンを押すことによって高評価を表す評価情報を付与し、嫌いな画像に対して、「いまいち」のボタンを押すことによって低評価を表す評価情報を付与することができる。
【０１６６】
各々の参加ユーザの端末装置１４から各々の画像に対してユーザの評価の高低を表す評価情報が付与されると、評価情報取得部４８により、各々の画像に対して付与された高評価および低評価を表す評価情報が、参加ユーザの端末装置１４から取得される（ステップS12）。
【０１６７】
評価情報が付与された後、「次へ」のボタンが押されると、図３０に示すように、メッセージ取得部５０により、寄せ書きページがフォトブックの巻末に入ることを通知する画面が、参加ユーザの端末装置１４の画像表示部６８に表示される。
【０１６８】
参加ユーザは、寄せ書きページがフォトブックの巻末に入ることを通知する画面を閲覧して確認する。
【０１６９】
続いて、「次へ」のボタンが押されると、図３１に示すように、メッセージ取得部５０により、寄せ書きページにおいて使用する参加ユーザのプロフィール画像を設定するための画面が、参加ユーザの端末装置１４の画像表示部６８に表示される。
【０１７０】
参加ユーザは、プロフィール画像を設定するための画面を押すことによって、参加ユーザが参加ユーザの端末装置１４において所有する画像の中からプロフィール画像として使用する画像を選択して設定することができる。また、参加ユーザは、「削除」のボタンを押すことによって、既に設定したプロフィール画像を削除し、再度、プロフィール画像を設定し直すことができる。
【０１７１】
参加ユーザがプロフィール画像を設定した後、「次へ」のボタンが押されると、画像取得部４６により、参加ユーザによって設定されたプロフィール画像が、参加ユーザの端末装置１４から取得される（ステップS13）。
【０１７２】
続いて、図３２に示すように、メッセージ取得部５０により、寄せ書きメッセージを入力するための画面が、参加ユーザの端末装置１４の画像表示部６８に表示される。
【０１７３】
参加ユーザは、寄せ書きメッセージを入力するための画面において、指示入力部７０を介して、寄せ書きページに含めるメッセージを１５０文字以内で入力する。図３２の例では、「結婚おめでとう。  …  幸せになってください。」という初期メッセージが自動で入力されている。これにより、参加ユーザがメッセージを入力する手間を省くことができる。参加ユーザは、初期メッセージをそのまま使用してもよいし、他のメッセージを入力してもよい。
【０１７４】
また、参加ユーザは、寄せ書きメッセージを入力するための画面において、「他の人の寄せ書きを見る」のボタンを押すことによって、他の参加ユーザが既にアップロードした寄せ書きメッセージを閲覧することができる。
【０１７５】
参加ユーザが寄せ書きメッセージを入力した後、「入力完了」のボタンが押されると、図３３に示すように、メッセージ取得部５０により、参加ユーザが入力した寄せ書きメッセージを確認するための画面が、参加ユーザの端末装置１４の画像表示部６８に表示される。
【０１７６】
参加ユーザは、寄せ書きメッセージを確認する画面において、寄せ書きメッセージを閲覧して確認し、そのメッセージでよい場合には、「投稿する」のボタンを押して次の画面へ進み、メッセージを変更したい場合には、「＜」のボタンを押して前の画面に戻る。
【０１７７】
「投稿する」のボタンが押されると、メッセージ取得部５０により、参加ユーザから投稿された寄せ書きメッセージ、つまり、参加ユーザの端末装置１４からアップロードされた寄せ書きメッセージが取得される（ステップS14）。
【０１７８】
このように、複数のユーザの画像を用いてフォトブック等の合成画像を作成する場合に、フォトブックの本編ページだけでなく、寄せ書きページを含めることによって、フォトブックの受取人に対する各々の参加ユーザの気持ちを寄せ書きメッセージとして伝えることができる。
【０１７９】
続いて、図３４に示すように、寄せ書きメッセージの投稿が完了したことを表す画面が、参加ユーザの端末装置１４の画像表示部６８に表示される。
【０１８０】
続いて、「完了」のボタンが押されると、画像、画像の評価情報および寄せ書きメッセージのアップロードは完了する。
【０１８１】
続いて、日程設定部３６により、画像および寄せ書きメッセージの募集締切日を過ぎたことが検出されると、画像数算出部５２により、画像取得部４６によって取得された画像の枚数が算出される（ステップS15）。また、評価数算出部５４により、評価情報取得部４８によって取得された高評価および低評価を表す評価情報の数が算出され（ステップS16）、メッセージ数算出部５６により、メッセージ取得部５０によって取得された寄せ書きメッセージの数が算出される（ステップS17）。
【０１８２】
続いて、画像数評価部７６により、画像数算出部５２によって算出された画像の枚数が、枚数範囲取得部７２によって取得された使用枚数範囲外であるか否かが評価され、その評価結果である枚数評価情報が出力される。なお、本実施態様では、画像数評価部７６の評価対象は画像数算出部５２によって算出された画像の枚数である。しかし、別の実施態様においては、画像取得部４６によって取得された画像についての評価値算出部６０による解析評価値を用いて、解析評価値が一定の閾値以上の画像の枚数を算出し、これを画像数評価部７６の評価対象としてもよい。
【０１８３】
枚数評価情報に応じて、画像の枚数が使用枚数範囲外である場合には、商材提案部７４により、商材取得部３０によって取得された画像商材とは異なる選択肢を提案する提案情報が、幹事ユーザの端末装置１４に対して送付される。
【０１８４】
例えば、画像の枚数が使用枚数範囲の上限枚数を超えており、かつ、商材取得部３０によって取得された画像商材よりも多い画像を使用する画像商材が、予算設定部２８によって取得された予算の情報に対応する１以上の画像商材の中に含まれている場合には、商材取得部３０によって取得された画像商材よりも多い画像を使用する画像商材を提案してもよい。
【０１８５】
また、画像の枚数が使用枚数範囲の上限枚数を超えており、かつ、商材取得部３０によって取得された画像商材よりもページ数が多い画像商材が、予算設定部２８によって取得された予算の情報に対応する１以上の画像商材の中に含まれている場合には、商材取得部３０によって取得された画像商材よりもページ数が多い画像商材を提案してもよい。
【０１８６】
また、両者を組み合わせて、商材取得部３０によって取得された画像商材よりも多い画像を使用し、かつ、ページ数が多い画像商材を提案してもよい。
【０１８７】
商材提案部７４は、例えば、商材取得部３０によって取得された画像商材がA4サイズの画像商材の場合に、多い画像を使用する画像商材として、A3サイズの画像商材を提案してもよい。また、商材取得部３０によって取得された画像商材が寄せ書き用の色紙のような１枚で構成される画像商材であった場合、ページ数が多い画像商材として、複数ページからなるフォトブック等の画像商材を提案してもよいし、１６ページからなる画像商材の場合に、２４ページからなる画像商材を提案してもよい。
【０１８８】
このように、商材取得部３０によって取得された画像商材よりも多い画像を使用する画像商材またはページ数が多い画像商材を提案することにより、実際に取得した画像を無駄にすることなく有効に活用することができる。
【０１８９】
一方、画像の枚数が使用枚数範囲の下限枚数未満であり、かつ、商材取得部３０によって取得された画像商材よりも少ない画像を使用する画像商材が、予算設定部２８によって取得された予算の情報に対応する１以上の画像商材の中に含まれている場合には、商材取得部３０によって取得された画像商材よりも少ない画像を使用する画像商材を提案してもよい。
【０１９０】
また、画像の枚数が使用枚数範囲の下限枚数未満であり、かつ、商材取得部３０によって取得された画像商材よりもページ数が少ない画像商材が、予算設定部２８によって取得された予算の情報に対応する１以上の画像商材の中に含まれている場合には、商材取得部３０によって取得された画像商材よりもページ数が少ない画像商材を提案してもよい。
【０１９１】
また、商材取得部３０によって取得された画像商材よりも少ない画像を使用し、かつ、ページ数が少ない画像商材を提案してもよい。
【０１９２】
商材提案部７４は、例えば、商材取得部３０によって取得された画像商材がA3サイズの画像商材の場合に、少ない画像を使用する画像商材として、A4サイズの画像商材を提案してもよい。また、商材取得部３０によって取得された画像商材が複数ページからなるフォトブック等の画像商材であった場合、ページ数が少ない画像商材として、寄せ書き用の色紙のような１枚で構成される画像商材を提案してもよいし、２４ページからなる画像商材の場合に、１６ページからなる画像商材を提案してもよい。
【０１９３】
このように、商材取得部３０によって取得された画像商材よりも少ない画像を使用する画像商材およびページ数が少ない画像商材を提案することにより、合成画像における画像の配置領域に空き領域のない見栄えのよい合成画像を作成することができる。
【０１９４】
あるいは、画像の枚数が使用枚数範囲の下限枚数未満である場合に、商材取得部３０によって取得された画像商材の使用を断念することを提案してもよい。例えば、画像の枚数が使用枚数範囲の下限枚数範囲であり、かつ、商材取得部３０によって取得された画像商材よりも少ない画像を使用する画像商材およびページ数が少ない画像商材が、予算設定部２８によって取得された予算の情報に対応する１以上の画像商材の中に含まれていない場合に、商材取得部３０によって取得された画像商材の使用を断念することを提案してもよい。
【０１９５】
また、画像の枚数が使用枚数範囲の下限枚数未満である場合、トリミング部７８により、画像取得部４６によって取得された複数の画像をトリミングして加工画像を作成し、続いて、画像数算出部５２により、画像取得部４６によって取得された画像の枚数、および、加工画像の枚数を加算して、その合計枚数を算出し、商材提案部７４により、合計枚数に応じて、画像商材を提案してもよい。
【０１９６】
また、画像の枚数が使用枚数範囲の下限枚数未満である場合、再度、アップロード催促部４４により、画像のアップロードを催促する催促情報を、複数の参加ユーザの端末装置１４に対して送付して追加の画像を取得してもよい。
【０１９７】
例えば、第１の催促情報に応じて、画像取得部４６によって取得された画像を第１の画像群とし、その後、第２の催促情報に応じて、画像取得部４６によって取得された画像を第２の画像群とする。
【０１９８】
この場合、同様に、画像取得部４６により、第２の催促情報が送付されてから一定の期間、複数の参加ユーザの端末装置１４からアップロードされた第２の画像群を取得し、続いて、画像数算出部５２により、一定の期間が経過した後、第１の画像群の枚数および第２の画像群の枚数を加算して、その合計枚数を算出し、商材提案部７４により、合計枚数に応じて、画像商材を提案してもよい。
【０１９９】
なお、アップロード催促部４４が催促情報を送付する回数は特に限定されない。例えば、アップロード催促部４４は、画像の枚数が使用枚数範囲の下限枚数を超えるまで、２回以上繰り返し催促情報を送付してもよい。
【０２００】
加工画像を使用する場合も、追加の画像を使用する場合も、同様に、合計枚数が使用枚数範囲の下限枚数未満であり、かつ、商材取得部３０によって取得された画像商材よりも少ない画像を使用する画像商材が、予算設定部２８によって取得された予算の情報に対応する１以上の画像商材の中に含まれている場合には、商材取得部３０によって取得された画像商材よりも少ない画像を使用する画像商材を提案してもよい。
【０２０１】
また、画像の枚数が使用枚数範囲の下限枚数未満であり、かつ、商材取得部３０によって取得された画像商材よりもページ数が少ない画像商材が、予算設定部２８によって取得された予算の情報に対応する１以上の画像商材の中に含まれている場合には、商材取得部３０によって取得された画像商材よりもページ数が少ない画像商材を提案してもよい。
【０２０２】
また、商材取得部３０によって取得された画像商材よりも少ない画像を使用し、かつ、ページ数が少ない画像商材を提案してもよいし、あるいは、商材取得部３０によって取得された画像商材の使用を断念することを提案してもよい。
【０２０３】
このように、加工画像および追加の画像のうちの少なくとも一方を使用することにより、例えば、初回の催促情報に応じて取得された画像だけでは合成画像を作成することができない場合であっても、合成画像を作成することができる。
【０２０４】
なお、画像の枚数が使用枚数範囲内である場合、商材提案部７４により、提案情報は送付されない。
【０２０５】
幹事ユーザは、提案情報を受け取った場合、提案情報によって提案された選択肢を選択して、１回目に選択した画像商材とは異なる画像商材を選択して設定し直してもよいし、画像商材の使用、つまり、合成画像の作成を断念してもよい。また、画像の数が使用枚数範囲の上限枚数を超えた場合、幹事ユーザは、画像商材を変更しないことを選択することもできる。この場合、後述する画像抽出部によって、複数の画像の中から合成対象画像が抽出される。なお、別の実施態様においては、幹事ユーザが画像商材を変更しないことを選択した場合は、画像を元の画像商材に収まるように縮小して合成画像を作成してもよい。
【０２０６】
画像処理装置１０では、上記のように、画像の枚数が使用枚数範囲外である場合に、商材提案部７４により、画像の枚数に応じて、商材取得部３０によって取得された画像商材とは異なる選択肢が提案される（ステップS18）。これにより、複数の参加ユーザの端末装置１４から複数の画像を取得して合成画像を作成する場合に、画像の枚数を事前に知ることができなくても、適切な画像商材を使用することができる。
【０２０７】
続いて、評価値算出部６０により、各々の画像に対するユーザの評価の高低を表す評価情報、例えば、評価情報の数に基づいて、各々の画像の解析評価値に対して値が加減算されて、各々の画像の総合評価値が算出される（ステップS19）。
【０２０８】
前述のように、画像が取得される毎に、画像を解析して、その解析評価値を算出することは必須ではない。しかし、画像が取得される毎に、画像を解析して、その解析評価値を算出しておくことにより、全ての画像を取得した後に画像をまとめて解析して解析評価値を算出する場合と比べて、画像の総合評価値を短時間で算出することができ、その結果、合成画像の作成にかかる時間を短縮することができる。
【０２０９】
続いて、幹事ユーザは、幹事ユーザの端末装置１４において、指示入力部７０を介して、合成画像作成部２６に対して合成画像の作成を指示する。
【０２１０】
合成画像作成部２６に対して合成画像の作成が指示されると、表紙作成部６２により、表紙ページのデザインの情報に対応するデザインであり、幹事ユーザによって設定されたタイトルが記載され、幹事ユーザによって設定された色の表紙ページが作成される（ステップS20）。
【０２１１】
続いて、本編作成部６４により、画像取得部４６によって取得された複数の画像のうちの少なくとも１つの画像を用いて、フォトブックの本編ページが作成される（ステップS21）。
【０２１２】
本編作成部６４では、画像分割部により、画像取得部４６によって取得された複数の画像が、本編ページのページ数に対応する複数のグループに分割される。
【０２１３】
なお、加工画像および追加の画像のうちの少なくとも一方を使用する場合には、画像取得部４６によって取得された複数の画像、および、加工画像および追加の画像のうちの少なくとも一方が、本編ページのページ数に対応する複数のグループに分割される。
【０２１４】
続いて、画像抽出部により、画像のグループ毎に、画像の総合評価値に基づいて、例えば、総合評価値が最も高い画像から順に、グループに含まれる画像の中から、本編ページにおいて使用する複数の合成対象画像が抽出される。
【０２１５】
続いて、画像配置部により、画像のグループ毎に、画像の総合評価値に基づいて、各々の合成対象画像のサイズおよび本編ページにおける配置位置が決定され、合成対象画像が、各々対応する本編ページに配置される。例えば、本編ページに配置される複数の合成対象画像のうち、総合評価値が最も高い合成対象画像が、他の合成対象画像よりも大きいサイズで、そのページの中央位置に配置される。
【０２１６】
続いて、寄せ書き作成部６６により、参加ユーザのプロフィール画像および寄せ書きメッセージを用いて、寄せ書きページのデザインの情報に対応するデザインの寄せ書きページが作成される（ステップS22）。
【０２１７】
寄せ書き作成部６６では、メッセージ分割部により、メッセージ取得部５０によって取得された寄せ書きメッセージが、寄せ書きページのページ数に対応する数のグループに分割される。
【０２１８】
続いて、メッセージ配置部により、寄せ書きメッセージのグループ毎に、例えば、グループに含まれる寄せ書きメッセージと対応する参加ユーザのプロフィール画像とが組み合わされて、寄せ書きメッセージのグループに対応するページの寄せ書きページに配置されて寄せ書きページが作成される。各々の寄せ書きページにおいて、寄せ書きメッセージは、例えば、寄せ書きメッセージがアップロードされた順序で順次配置される。
【０２１９】
上記のように、表紙作成部６２、本編作成部６４および寄せ書き作成部６６によって、２以上の参加ユーザの端末装置１４から取得された複数の画像、参加ユーザのプロフィール画像および寄せ書きメッセージを用いて、それぞれ、表紙ページのデザインの情報に対応する表紙ページ、本編ページ、および、寄せ書きページのデザインの情報に対応する寄せ書きページを含むフォトブックが自動で作成される。
【０２２０】
画像処理装置１０では、本編ページだけでなく、寄せ書きページを含むフォトブック等の合成画像を作成することができる。また、画像の総合評価値に基づいて、本編ページにおいて使用する画像の他、各々の画像のサイズおよび本編ページにおける配置位置等を決定することによって、画像の良し悪しだけでなく、複数の参加ユーザの好みを反映した合成画像を作成することができる。
【０２２１】
幹事ユーザは、幹事ユーザの端末装置１４において、自動で作成された表紙ページ、本編ページおよび寄せ書きページからなるフォトブックの各ページを閲覧する。幹事ユーザは、自動で作成されたフォトブックをそのまま採用してもよいし、各ページの内容、例えば、各ページにおいて使用する画像、画像のサイズ、画像および寄せ書きメッセージの配置位置等を編集してもよい。また、コメントの追加、スタンプ画像の追加、各ページの背景の種類および色の変更等を行うことができる。
【０２２２】
幹事ユーザは、日程設定部３６によって設定された合成画像の作成期間内、本実施形態の場合、１２月４日までにフォトブックの作成を完了し、作成を完了したフォトブックの内容で画像商品を注文する（ステップS23）。幹事ユーザが注文する画像商品には、紙媒体のフォトブックおよび電子データのフォトブックの少なくとも一方が含まれる。
【０２２３】
画像商品が注文されると、注文された画像商品のフォトブックが作成され、日程設定部３６によって設定された画像商品の配送日、本実施形態の場合、１２月２０日までに配送先へ送付される（ステップS24）。紙媒体のフォトブックの場合には、例えば、紙媒体のフォトブックが配送先へ送付され、電子データのフォトブックの場合には、例えば、電子データのフォトブック、あるいは電子データをダウンロードするためのURL等が配送先のメールアドレスへ送付される。
【０２２４】
以上のように、画像処理装置１０では、複数の参加ユーザの端末装置１４から取得された複数の画像および寄せ書きメッセージを用いて、寄せ書きページを含むフォトブック等の合成画像を作成することができる。
【０２２５】
なお、幹事ユーザだけが合成画像を作成することは必須ではなく、合成画像の作成に関わる複数のユーザが共同で合成画像を作成してもよいし、複数のユーザのうちの少なくとも一人のユーザが合成画像を作成してもよい。
【０２２６】
画像処理装置１０を構成する各部位の具体的な構成は特に限定されず、同様の機能を果たすことができる各種構成のものを利用することができる。
また、上記実施形態では、サーバ１２が情報設定部１８、情報管理部２０、データ取得部２２、データ解析部２４および合成画像作成部２６を備えているが、これらのうちの少なくとも１つをユーザの端末装置１４が備えていてもよい。
【０２２７】
本発明の装置は、装置が備える各々の構成要素を専用のハードウェアで構成してもよいし、各々の構成要素をプログラムされたコンピュータで構成してもよい。
本発明の方法は、例えば、その各々のステップをコンピュータに実行させるためのプログラムにより実施することができる。また、このプログラムが記録されたコンピュータ読み取り可能な記録媒体を提供することもできる。
【０２２８】
以上、本発明について詳細に説明したが、本発明は上記実施形態に限定されず、本発明の主旨を逸脱しない範囲において、種々の改良や変更をしてもよいのはもちろんである。
【符号の説明】
【０２２９】
１０  画像処理装置
１２  サーバ
１４  端末装置（クライアント）
１６  ネットワーク
１８  情報設定部
２０  情報管理部
２２  データ取得部
２４  データ解析部
２６  合成画像作成部
２８  予算設定部
３０  商材取得部
３２  表紙デザイン設定部
３４  寄せ書きデザイン設定部
３６  日程設定部
３８  設定保存部
４０  アカウント情報保存部
４２  管理画面情報送付部
４４  アップロード催促部
４６  画像取得部
４８  評価情報取得部
５０  メッセージ取得部
５２  画像数算出部
５４  評価数算出部
５６  メッセージ数算出部
５８  画像解析部
６０  評価値算出部
６２  表紙作成部
６４  本編作成部
６６  寄せ書き作成部
６８  画像表示部
７０  指示入力部
７２  枚数範囲取得部
７４  商材提案部
７６  画像数評価部
７８  トリミング部
【図１】
2017138803.tif 000003
【図２】
2017138803.tif 000004
【図３】
2017138803.tif 000005
【図４】
2017138803.tif 000006
【図５】
2017138803.tif 000007
【図６】
2017138803.tif 000008
【図７】
2017138803.tif 000009
【図８】
2017138803.tif 000010
【図９】
2017138803.tif 000011
【図１０】
2017138803.tif 000012
【図１１】
2017138803.tif 000013
【図１２】
2017138803.tif 000014
【図１３】
2017138803.tif 000015
【図１４】
2017138803.tif 000016
【図１５】
2017138803.tif 000017
【図１６】
2017138803.tif 000018
【図１７】
2017138803.tif 000019
【図１８】
2017138803.tif 000020
【図１９】
2017138803.tif 000021
【図２０】
2017138803.tif 000022
【図２１】
2017138803.tif 000023
【図２２】
2017138803.tif 000024
【図２３】
2017138803.tif 000025
【図２４】
2017138803.tif 000026
【図２５】
2017138803.tif 000027
【図２６】
2017138803.tif 000028
【図２７】
2017138803.tif 000029
【図２８】
2017138803.tif 000030
【図２９】
2017138803.tif 000031
【図３０】
2017138803.tif 000032
【図３１】
2017138803.tif 000033
【図３２】
2017138803.tif 000034
【図３３】
2017138803.tif 000035
【図３４】
2017138803.tif 000036